(57)【要約】【課題】サプリメントや薬を服用したことを記録し、飲み忘れや重複を防ぐために、服用記録を即座に点検できる容器を提供する。【解決手段】サプリメントや薬の入れ物を入れる穴を３つ持ち、１つの穴には奇数日のんだ、１つの穴には偶数日のんだ、１つの穴には３１日のんだと記した容器を用意し、サプリメントや薬を服用したらカレンダーで当日の日付を確認して該当する穴に入れ、服用後もサプリメントや薬の入った穴の位置で当日の服用を即座に点検できる容器であること、を特徴とする。【選択図】  図１
2011000370.tif 000002
【特許請求の範囲】
【請求項１】
サプリメントや薬の入れ物を入れる箇所を３つ持ち、１つの箇所には奇数あるいは奇数日、１つの箇所には偶数あるいは偶数日、１つの箇所には３１日と記した容器。
【請求項２】
サプリメントや薬の入れ物を入れる箇所を２つ持ち、１つの箇所には奇数あるいは奇数日、１つの箇所には偶数あるいは偶数日と記した容器。
【請求項３】
サプリメントや薬の入れ物を入れる長いＩの字あるいは長いＬの字の穴を１つ持ち、その穴の１つの端の箇所には奇数あるいは奇数日、もう１つの端の箇所には偶数あるいは偶数日、前記２つの穴の中間か中間ぐらいの箇所には３１日と記した容器。
【請求項４】
サプリメントや薬の入れ物を入れるＹの字の穴を１つ持ち、その穴の３つの端のそれぞれの箇所に、奇数あるいは奇数日、偶数あるいは偶数日、３１日と記した容器。
【請求項５】
サプリメントや薬の入れ物を入れる長いＩの字あるいは長いＬの字の穴を１つ持ち、その穴の１つの端の箇所には奇数あるいは奇数日、もう１つの端の箇所には偶数あるいは偶数日と記した容器。
【発明の詳細な説明】
【技術分野】
【０００１】
この発明は、サプリメントや薬を服用したことをその都度簡単に記録・点検する容    器に関するものである。
【背景技術】
【０００２】
薬を決められた分量だけ決められた時間帯に服用するために、()月()日の朝・昼・    夕と、カレンダーを基本にして、１つの月の１日から３０日あるいは３１日までを、    小袋をその分だけ用意して薬を小分けにしてつめたり、１つの箱をカレンダーに見立    てて、日数分の小さな区切りに分け、そこに薬をつめる保存管理のかたちがたくさん    考えられている。   
【０００３】
【特許文献１】特開２００３−１８０７９８
【特許文献２】特開２００３−０５２７９３
【特許文献３】特開２００２−１２３１７３
【発明の開示】
【発明が解決しようとする課題】
【０００４】
これらの方法は、個々の薬がパッケージにより密封され、外界からのダメージをな    くす対策が施されていることを前提にして成り立っている。しかし、１日に１〜３回    飲むサプリメントは多くの場合、パッケージされていない裸の錠剤が１つのびんやボ    トルの中に多数入っているため、品質劣化の面で小分けするのがむずかしい。
【０００５】
また、サプリメントは服用すること自体が、短時間のうちにただ蓋を開けて飲むだ    けという単純な動作のため、記憶に残らない時もあり、服用しても本当に服用したか    どうか迷うことがある。反対に、まだ服用してないのにもう服用したと錯覚して飲み    忘れる時もある。
【０００６】
そこで、サプリメントを服用した時に即座にそれを記録でき、しかも服用したこと    を簡単に点検する方法が必要とされる。この方法は薬にも利用できる。まず、サプリ    メントの場合を考えていく。
【課題を解決するための手段】
【０００７】
サプリメントのびんやボトルを入れる箇所、多くの場合それは穴であるので、ここ    では円い穴を想定する。
図１のように、穴２を３つ持つ立体の容器３を用意する。１つの穴２には、「奇数    日のんだ」４と記し、もう１つの穴２には、「偶数日のんだ」５と記し、もう１つの    穴２には、「３１日のんだ」６と記す。
【０００８】
サプリメントを服用した人は、奇数日に服用すれば「奇数日のんだ」４と記された    穴にサプリメントのびんやボトル１を入れ、偶数日に服用すれば「偶数日のんだ」５    と記された穴に前記のびんやボトルを入れ、３１日に服用すれば「３１日のんだ」６  と記された穴にびんやボトルを入れる。
【発明の効果】
【０００９】
サプリメントを服用した人は、サプリメントのびんやボトルの入った穴が「奇数日    ・偶数日・３１日」のいずれなのかを見ると同時に、当日のカレンダーの日付を確認    して、もう服用したかどうかを点検することができる。この単純な仕組みでサプリメ    ントの服用の重複や飲み忘れを防ぐことができる。
【発明を実施するための最良の形態】
【００１０】
図２のように、サプリメントのびんやボトル１１が入る穴１２を２つ持つ立体の容    器１３を用意する。容器１３の素材は、ポリプロピレンなどの合成樹脂や木や厚紙が    適している。穴１２の大きさは、サプリメントのびんやボトル１１より少し大きめで    ある。立体の容器１３の高さはサプリメントのびんやボトル１１の半分くらいの高さ    が、サプリメントのラベルが半分ほど見えるのでよい。
【００１１】
向かって左の穴には「奇数日のんだ」１４、向かって右の穴には「偶数日のんだ」    １５と記しておく。
【００１２】
サプリメントを服用した人は、奇数日に服用すれば「奇数日のんだ」１４と記され    た穴１２にサプリメントのびんやボトル１１を入れ、偶数日に服用すれば「偶数日の    んだ」１５と記された穴１２にびんやボトル１１を入れる。３１日に服用すれば「奇    数日のんだ」１４と記された穴１２にびんやボトル１１を天地を逆にして入れる。そ    うすることにより、容器１３の大きさを小さくでき、材料費の削減にもなる。
【００１３】
しかし、材料費はかかっても、わかりやすさを得るために、図１のように穴を３つ    持つ容器３を用意し、「３１日のんだ」６と記してもよい。なお、「３１日のんだ」６    と記された穴２の場所は、「奇数日のんだ」４の穴２と「偶数日のんだ」５の穴２の    真ん中にすると、この２つの穴に距離感を持たせることができるのでよい。
【００１４】
この容器は、１日１回だけ服用するサプリメント以外に、１日３回服用するサプリ    メントや薬にも利用可能である。図３のように容器２３の前面に「朝・昼・夕」２７    と記し、各々のポイントに面ファスナーの雌２８を付ける。側面の面ファスナーの雌    ３８には、前記面ファスナーの雌２８とは違う色の面ファスナーの雄２９を貼ってお    き、サプリメントや薬の服用ごとに該当する「朝・昼・夕」２７のポイントの面ファ    スナーの雌２８に、この面ファスナーの雄２９を随時貼って記録していく。
【００１５】
使用方法は、まず、１日３回服用するサプリメントの場合は、朝に服用の際には、    「奇数日・偶数日・３１日」のいずれなのかをカレンダーなどで確認して、穴にサプ    リメントのびんやボトルを入れ、同時に容器の前面の「朝」のポイントに面ファスナ    ーの雄を貼る。「昼・夕」の服用の際も同様に該当するところに貼っていく。
【００１６】
薬の服用の場合は、図３のように、折ったり筒状に丸めたりして穴に入る大きさの    袋３１に、１日３回分の薬を入れておき、サプリメントのびんやボトルを入れる穴
２２に、薬の服用後に折ったり丸めたりして入れる。「朝・昼・夕」２７のポイント    の面ファスナー２８の使い方はサプリメントの服用の場合と同じである。
【００１７】
面ファスナー２８・２９の代わりに磁石を用いたり、フックに目印を掛ける方法な    どもある。
【００１８】
サプリメントのびんやボトルを入れる箇所が、円い穴ではなく、図４のように「奇    数日のんだ」のしるしと「偶数日のんだ」のしるしをＩの字４２でむすび、その長い    穴の中をずらすものが考えられる。穴の中間地点に「３１日のんだ」のしるしがあっ    てもよい。
【００１９】
また、図５のように「奇数日のんだ」のしるしと「偶数日のんだ」のしるしをＬの    字５２でむすび、その長い穴の中をずらすものが考えられる。穴の中間地点に「３１    日のんだ」のしるしがあってもよい。
【００２０】
さらに、図６のように、「奇数日のんだ」のしるしと「偶数日のんだ」のしるしと    「３１日のんだ」のしるしをＹの字６２でむすび、その長い穴の中をずらすものも考    えられる。
【図面の簡単な説明】
【００２１】
【図１】本発明の穴が３つの容器でサプリメントを服用する場合の斜視図。
【図２】本発明の穴が２つの容器でサプリメントを服用する場合の斜視図。
【図３】本発明の穴が３つの容器で薬を服用する場合の斜視図。
【図４】本発明の穴がＩの字の斜視図。
【図５】本発明の穴がＬの字の斜視図。
【図６】本発明の穴がＹの字の斜視図。
【符号の説明】
【００２２】
１  サプリメントのびんやボトル
２  穴        
３  穴が３つの容器
４  「奇数日のんだ」のしるし
５  「偶数日のんだ」のしるし
６  「３１日のんだ」のしるし
１１  サプリメントのびんやボトル
１２  穴
１３  穴が２つの容器
１４  「奇数日のんだ」のしるし
１５  「偶数日のんだ」のしるし
２７  「朝・昼・夕」のしるし
２８  面ファスナーの雌
２９  面ファスナーの雄
３１  薬の袋
３８  面ファスナーの雄２９を最初に貼っておく面ファスナーの雌
４２  穴がＩの字
５２  穴がＬの字
６２  穴がＹの字
【図１】
2011000370.tif 000003
【図２】
2011000370.tif 000004
【図３】
2011000370.tif 000005
【図４】
2011000370.tif 000006
【図５】
2011000370.tif 000007
【図６】
2011000370.tif 000008